(57)【要約】【課題】動態調査サーバによる動態情報の集計処理の際に、調査した時刻情報を動態情報に対応付ける手間を省くことができる動態調査システム等を提供する。【解決手段】周囲の状況を調査して得られた動態情報が入力された際の時刻情報を前記動態情報に付加し、調査地点の位置情報に対応付けて前記動態情報を記憶手段に記録する、調査端末１１が発信した前記動態情報を受信する受信手段６２と、前記調査地点の位置情報及び前記時刻情報ごとに前記動態情報を集計する集計手段６９と、集計された前記動態情報を前記調査地点の位置情報及び前記時刻情報ごとに管理して蓄積する蓄積手段７１と、を備える。【選択図】        図５
2005049986.tif 000002
【特許請求の範囲】
【請求項１】
周囲の状況を調査して得られた動態情報を入力するための入力手段と、
調査地点に関する位置情報を取得する位置情報取得手段と、
前記動態情報が入力された際の時刻情報を取得する時刻情報取得手段と、
前記動態情報を前記調査地点の位置情報に対応付けると共に前記時刻情報を付加して記憶する記憶手段と、
前記調査地点の位置情報に対応付けた前記動態情報に前記時刻情報を付加した状態で前記動態情報を発信する発信手段と、を有する調査端末と、
前記調査地点の位置情報に対応付けると共に前記時刻情報を付加した状態で前記調査端末が発信した前記動態情報を受信する受信手段と、
前記調査地点の位置情報及び前記時刻情報ごとに前記動態情報を集計する集計手段と、
集計された前記動態情報を前記調査地点の位置情報及び前記時刻情報ごとに管理して蓄積する蓄積手段と、を有する動態調査サーバと、
を備えることを特徴とする動態調査システム。
【請求項２】
前記動態調査サーバは、前記動態情報の閲覧を行う閲覧端末からの要求に応じて、前記調査地点の位置情報及び前記時刻情報ごとに蓄積した前記動態情報を前記閲覧端末に対して提供する動態情報提供手段を備えることを特徴とする請求項１に記載の動態調査システム。
【請求項３】
前記位置情報取得手段は、
受信した衛星電波に含まれる航法メッセージを解析し、前記調査地点の位置情報を取得した際の測位誤差を抽出する測位誤差抽出手段を有し、
前記調査端末の前記発信手段は、前記調査地点の位置情報及び前記時刻情報ごとに対応付けて前記記憶手段に記憶された前記動態情報と共に、前記測位誤差抽出手段によって抽出された前記測位誤差を発信しており、
前記動態調査サーバの前記蓄積手段は、前記調査地点の位置情報及び前記時刻情報に対応付けた前記動態情報ごとに前記測位誤差を管理する構成であることを特徴とする請求項１又は請求項２のいずれかに記載の動態調査システム。
【請求項４】
前記調査端末は、前記入力手段を用いて周囲の通行量が入力されることで、前記動態情報としての周囲の通行量の調査を行う端末装置であることを特徴とする請求項１ないし請求項３のいずれかに記載の動態調査システム。
【請求項５】
周囲の状況を調査するための調査端末に、周囲を調査して得られた動態情報の入力を行う入力ステップと、
前記調査端末が調査地点の位置情報を取得する位置情報取得ステップと、
前記動態情報が入力された際の時刻情報を取得する時刻情報取得ステップと、
前記調査端末に入力された前記動態情報を前記調査地点の位置情報に対応付けると共に前記時刻情報を付加して記憶手段に記憶する記憶ステップと、
前記調査端末が、前記調査地点の位置情報に対応付けた前記動態情報に前記時刻情報を付加した状態で発信する発信ステップと、
前記調査地点の位置情報に対応付けると共に前記時刻情報を付加した状態で前記調査端末が発信した前記動態情報を動態調査サーバが受信する受信ステップと、
前記動態調査サーバが前記調査地点の位置情報及び前記時刻情報ごとに前記動態情報を集計する集計ステップと、
集計された前記動態情報を前記調査地点の位置情報及び前記時刻情報ごとに前記動態調査サーバが管理して蓄積する蓄積ステップと
を有することを特徴とする動態調査方法。
【請求項６】
周囲の状況を調査して得られた動態情報が入力された際の時刻情報を前記動態情報に付加し、調査地点の位置情報に対応付けて前記動態情報を記憶手段に記録する、調査端末が発信した前記動態情報を受信する受信手段と、
前記調査地点の位置情報及び前記時刻情報ごとに前記動態情報を集計する集計手段と、
集計された前記動態情報を前記調査地点の位置情報及び前記時刻情報ごとに管理して蓄積する蓄積手段と、
を備えることを特徴とする動態調査サーバ。
【請求項７】
周囲の状況を調査して得られた動態情報が入力された際の時刻情報を前記動態情報に付加し、調査地点の位置情報に対応付けて前記動態情報を記憶手段に記録する、調査端末が発信した前記動態情報を受信する受信手段と、
前記調査地点の位置情報及び前記時刻情報ごとに前記動態情報を集計する集計手段と、
集計された前記動態情報を前記調査地点の位置情報及び前記時刻情報ごとに管理して蓄積する蓄積手段と
して機能させることを特徴とする、動態調査サーバにおける動態調査機能を発揮させるプログラム。
【請求項８】
周囲の状況を調査して得られた動態情報が入力された際の時刻情報を前記動態情報に付加し、調査地点の位置情報に対応付けて前記動態情報を記憶手段に記録する、調査端末が発信した前記動態情報を受信する受信手段と、
前記調査地点の位置情報及び前記時刻情報ごとに前記動態情報を集計する集計手段と、
集計された前記動態情報を前記調査地点の位置情報及び前記時刻情報ごとに管理して蓄積する蓄積手段と
して動態調査サーバにおける動態調査機能を発揮させるプログラムを記録したことを特徴とする、コンピュータ読み取り可能な情報記録媒体。
【請求項９】
周囲の状況を調査して得られた動態情報を入力するための入力手段と、
調査地点に関する位置情報を取得する位置情報取得手段と、
前記動態情報が入力された際の時刻情報を取得する時刻情報取得手段と、
前記動態情報を前記調査地点の位置情報に対応付けると共に前記時刻情報を付加して記憶する記憶手段と、
前記調査地点の位置情報に対応付けた前記動態情報に前記時刻情報を付加した状態で発信する発信手段と、
を備えることを特徴とする調査端末。
【請求項１０】
周囲の状況を調査して得られた動態情報を入力するための入力手段と、
調査地点に関する位置情報を取得する位置情報取得手段と、
前記動態情報が入力された際の時刻情報を取得する時刻情報取得手段と、
前記動態情報を前記調査地点の位置情報に対応付けると共に前記時刻情報を付加して記憶する記憶手段と、
前記調査地点の位置情報に対応付けた前記動態情報に前記時刻情報を付加した状態で発信する発信手段と
して機能させることを特徴とする、調査端末における動態調査機能を発揮させるプログラム。
【請求項１１】
周囲の状況を調査して得られた動態情報を入力するための入力手段と、
調査地点に関する位置情報を取得する位置情報取得手段と、
前記動態情報が入力された際の時刻情報を取得する時刻情報取得手段と、
前記動態情報を前記調査地点の位置情報に対応付けると共に前記時刻情報を付加して記憶する記憶手段と、
前記調査地点の位置情報に対応付けた前記動態情報に前記時刻情報を付加した状態で発信する発信手段と
して調査端末における動態調査機能を発揮させるプログラムを記録したことを特徴とする、コンピュータ読み取り可能な情報記録媒体。
【発明の詳細な説明】
【０００１】
【発明の属する技術分野】
本発明は、周囲の状況を調査して得られた動態情報を記憶する調査端末及び、調査端末から取得した動態情報の集計を行う動態調査サーバを備える動態調査システム、動態調査方法、動態調査サーバ、動態調査サーバにおける動態調査機能を発揮させるプログラム及び、動態調査サーバにおける動態調査機能を発揮させるプログラムを記録したコンピュータ読み取り可能な情報記録媒体並びに、調査端末、調査端末における動態調査機能を発揮させるプログラム及び、調査端末における動態調査機能を発揮させるプログラムを記録したコンピュータ読み取り可能な情報記録媒体に関するものである。
【０００２】
【従来の技術】
近年、自動車等の動きやその状態、例えば通行量のような動態に応じてカウントして調査を行うシステムが提案されている。例えば、従来のカウント調査のシステムでは、調査員によってカウント調査を行い、カウント調査用携帯型ターミナルに内蔵したカレンダータイマーにより、指定の時刻毎にカウント調査データをメモリに自動記録している（例えば特許文献１参照）。このような構成であると、カウント調査を行う調査員は、カウント調査用携帯型ターミナルに設けられたボタンを押す作業に専念できるので、作業負担を軽減させ、調査に関する作業ミスを減らすことができる。
【０００３】
このカウント調査のシステムでは、カウント調査作業の進行状況は押しボタンのクリック音と、ディスプレイで確認することができる構成となっている。調査員によってカウント調査用携帯型ターミナルに入力された動態情報は、例えばコンピュータで収集した後に集計するので、人為的ミスが少なくなる。また、このカウント調査のシステムでは、コンピュータにより動態情報を集計及び分析処理を行うので、集計や分析処理時間を短縮し、調査結果を早く得ることができるという特徴を有する。
【０００４】
【特許文献１】
特開平６−１８７５２５号公報（第１図）
【０００５】
【発明が解決しようとする課題】
ところが、このような従来のカウント調査のシステムでは、カウント調査を行った際の時刻情報が調査結果データに対応して付加されていないため、上記調査結果データの集計処理を行う際には、各調査結果データに時刻情報を対応付けて入力する手間が必要となるという問題点があった。
【０００６】
そこで、本発明の目的は、上記課題を解消して、動態調査サーバによる動態情報の集計処理の際に、調査した時刻情報を動態情報に対応付ける手間を省くことができる動態調査システム、動態調査方法、動態調査サーバ、動態調査サーバにおける動態調査機能を発揮させるプログラム及び、動態調査サーバにおける動態調査機能を発揮させるプログラムを記録したコンピュータ読み取り可能な情報記録媒体並びに、調査端末、調査端末における動態調査機能を発揮させるプログラム及び、調査端末における動態調査機能を発揮させるプログラムを記録したコンピュータ読み取り可能な情報記録媒体を提供することである。
【０００７】
【課題を解決するための手段】
上述の目的は、第１の発明によれば、周囲の状況を調査して得られた動態情報を入力するための入力手段と、調査地点に関する位置情報を取得する位置情報取得手段と、前記動態情報が入力された際の時刻情報を取得する時刻情報取得手段と、前記動態情報を前記調査地点の位置情報に対応付けると共に前記時刻情報を付加して記憶する記憶手段と、前記調査地点の位置情報に対応付けた前記動態情報に前記時刻情報を付加した状態で前記動態情報を発信する発信手段と、を有する調査端末と、前記調査地点の位置情報に対応付けると共に前記時刻情報を付加した状態で前記調査端末が発信した前記動態情報を受信する受信手段と、前記調査地点の位置情報及び前記時刻情報ごとに前記動態情報を集計する集計手段と、集計された前記動態情報を前記調査地点の位置情報及び前記時刻情報ごとに管理して蓄積する蓄積手段と、を有する動態調査サーバと、を備えることを特徴とする動態調査システムにより、達成される。
上記構成によれば、調査端末では、周囲の状況を調査して得られた動態情報が、調査地点の位置情報に対応付けられると共に動態情報が入力された際の時刻情報が付加された状態で記憶手段に記憶されているので、動態情報が入力された際の時刻情報及び調査地点の位置情報を動態情報に個々に対応付けて入力する必要がなくなり、調査の際の手間を省くことができる。一方、動態調査サーバでは、調査端末によって調査地点の位置情報及び調査した時刻情報を対応付けて発信された動態情報を受信しているので、動態情報の集計処理の際に調査地点の位置情報及び調査した時刻情報を個々に動態情報に対して対応付けて入力する必要がなくなり、集計処理の際の手間を省くことができる。
【０００８】
第２の発明は、第１の発明の構成において、前記動態調査サーバは、前記動態情報の閲覧を行う閲覧端末からの要求に応じて、前記調査地点の位置情報及び前記時刻情報ごとに蓄積した前記動態情報を前記閲覧端末に対して提供する動態情報提供手段を備えることを特徴とする。
上記構成によれば、動態調査サーバが動態情報提供手段を備えているので、閲覧端末は、動態調査サーバから調査地点の位置情報及び調査した時刻情報に対応付けした動態情報を取得することができ、調査地点の位置情報及び調査した時刻情報を考慮しつつ動態情報を利用することができる。
【０００９】
第３の発明は、第１の発明又は第２の発明のいずれかの構成において、前記位置情報取得手段は、受信した衛星電波に含まれる航法メッセージを解析し、前記調査地点の位置情報を取得した際の測位誤差を抽出する測位誤差抽出手段を有し、前記調査端末の前記発信手段は、前記調査地点の位置情報及び前記時刻情報ごとに対応付けて前記記憶手段に記憶された前記動態情報と共に、前記測位誤差抽出手段によって抽出された前記測位誤差を発信しており、前記動態調査サーバの前記蓄積手段は、前記調査地点の位置情報及び前記時刻情報に対応付けた前記動態情報ごとに前記測位誤差を管理する構成であることを特徴とする。
上記構成によれば、測位誤差抽出手段が、調査地点の位置情報を取得した際の測位誤差を抽出している。このため、調査端末によって調査地点の位置情報の測位を行うと多少の誤差を含んでいることが多いものの、動態調査サーバでは、蓄積手段が調査端末の調査地点の位置情報及び調査した時刻情報に対応付けた動態情報ごとに測位誤差を管理しているので、測位誤差に応じて動態情報の信頼性を判断しつつ動態情報を利用することができる。
【００１０】
第４の発明は、第１の発明ないし第３の発明のいずれかの構成において、前記調査端末は、前記入力手段を用いて周囲の通行量が入力されることで、前記動態情報としての周囲の通行量の調査を行う端末装置であることを特徴とする。
上記構成によれば、通行量の調査では、調査端末の調査地点の位置情報及び調査した時刻情報を動態情報に対応付けることが望ましいが、この動態調査システムでは、調査端末において調査地点の位置情報を通行量に関する動態情報及び調査した時刻情報に対応付けて記憶手段に記憶して、発信している。このため、動態調査サーバ側では、受信した通行量に関する動態情報に調査地点の位置情報及び調査した時刻情報が既に対応付けられているので、調査した時刻情報や調査端末の調査地点の位置情報を個々に通行量に関する動態情報に対して対応付ける必要がないので、集計処理の際の手間を省くことができる。
【００１１】
上述の目的は、第５の発明によれば、周囲の状況を調査するための調査端末に、周囲を調査して得られた動態情報の入力を行う入力ステップと、前記調査端末が調査地点の位置情報を取得する位置情報取得ステップと、前記動態情報が入力された際の時刻情報を取得する時刻情報取得ステップと、前記調査端末に入力された前記動態情報を前記調査地点の位置情報に対応付けると共に前記時刻情報を付加して記憶手段に記憶する記憶ステップと、前記調査端末が、前記調査地点の位置情報に対応付けた前記動態情報に前記時刻情報を付加した状態で発信する発信ステップと、前記調査地点の位置情報に対応付けると共に前記時刻情報を付加した状態で前記調査端末が発信した前記動態情報を動態調査サーバが受信する受信ステップと、前記動態調査サーバが前記調査地点の位置情報及び前記時刻情報ごとに前記動態情報を集計する集計ステップと、集計された前記動態情報を前記調査地点の位置情報及び前記時刻情報ごとに前記動態調査サーバが管理して蓄積する蓄積ステップとを有することを特徴とする動態調査方法により、達成される。
【００１２】
上述の目的は、第６の発明によれば、周囲の状況を調査して得られた動態情報が入力された際の時刻情報を前記動態情報に付加し、調査地点の位置情報に対応付けて前記動態情報を記憶手段に記録する、調査端末が発信した前記動態情報を受信する受信手段と、前記調査地点の位置情報及び前記時刻情報ごとに前記動態情報を集計する集計手段と、集計された前記動態情報を前記調査地点の位置情報及び前記時刻情報ごとに管理して蓄積する蓄積手段と、を備えることを特徴とする動態調査サーバにより、達成される。
上記構成によれば、動態調査サーバでは、調査端末によって調査地点の位置情報及び調査した時刻情報を対応付けて発信された動態情報を受信しているので、動態情報の集計処理の際に調査地点の位置情報及び調査した時刻情報を個々に動態情報に対して対応付けて入力する必要がなくなり、集計処理の際の手間を省くことができる。
【００１３】
上述の目的は、第７の発明によれば、周囲の状況を調査して得られた動態情報が入力された際の時刻情報を前記動態情報に付加し、調査地点の位置情報に対応付けて前記動態情報を記憶手段に記録する、調査端末が発信した前記動態情報を受信する受信手段と、前記調査地点の位置情報及び前記時刻情報ごとに前記動態情報を集計する集計手段と、集計された前記動態情報を前記調査地点の位置情報及び前記時刻情報ごとに管理して蓄積する蓄積手段として機能させることを特徴とする、動態調査サーバにおける動態調査機能を発揮させるプログラムにより、達成される。
【００１４】
上述の目的は、第８の発明によれば、周囲の状況を調査して得られた動態情報が入力された際の時刻情報を前記動態情報に付加し、調査地点の位置情報に対応付けて前記動態情報を記憶手段に記録する、調査端末が発信した前記動態情報を受信する受信手段と、前記調査地点の位置情報及び前記時刻情報ごとに前記動態情報を集計する集計手段と、集計された前記動態情報を前記調査地点の位置情報及び前記時刻情報ごとに管理して蓄積する蓄積手段として動態調査サーバにおける動態調査機能を発揮させるプログラムを記録したことを特徴とする、コンピュータ読み取り可能な情報記録媒体により、達成される。
【００１５】
上述の目的は、第９の発明によれば、周囲の状況を調査して得られた動態情報を入力するための入力手段と、調査地点に関する位置情報を取得する位置情報取得手段と、前記動態情報が入力された際の時刻情報を取得する時刻情報取得手段と、前記動態情報を前記調査地点の位置情報に対応付けると共に前記時刻情報を付加して記憶する記憶手段と、前記調査地点の位置情報に対応付けた前記動態情報に前記時刻情報を付加した状態で発信する発信手段と、を備えることを特徴とする調査端末により、達成される。
上記構成によれば、調査端末では、周囲の状況を調査して得られた動態情報が、調査地点の位置情報に対応付けられると共に動態情報が入力された際の時刻情報が付加された状態で記憶手段に記憶されているので、動態情報が入力された際の時刻情報及び調査地点の位置情報を動態情報に個々に対応付けて入力する必要がなくなり、調査の際の手間を省くことができる。
【００１６】
上述の目的は、第１０の発明によれば、周囲の状況を調査して得られた動態情報を入力するための入力手段と、調査地点に関する位置情報を取得する位置情報取得手段と、前記動態情報が入力された際の時刻情報を取得する時刻情報取得手段と、前記動態情報を前記調査地点の位置情報に対応付けると共に前記時刻情報を付加して記憶する記憶手段と、前記調査地点の位置情報に対応付けた前記動態情報に前記時刻情報を付加した状態で発信する発信手段として機能させることを特徴とする、調査端末における動態調査機能を発揮させるプログラムにより、達成される。
【００１７】
上述の目的は、第１１の発明によれば、周囲の状況を調査して得られた動態情報を入力するための入力手段と、調査地点に関する位置情報を取得する位置情報取得手段と、前記動態情報が入力された際の時刻情報を取得する時刻情報取得手段と、前記動態情報を前記調査地点の位置情報に対応付けると共に前記時刻情報を付加して記憶する記憶手段と、前記調査地点の位置情報に対応付けた前記動態情報に前記時刻情報を付加した状態で発信する発信手段として調査端末における動態調査機能を発揮させるプログラムを記録したことを特徴とする、コンピュータ読み取り可能な情報記録媒体により、達成される。
【００１８】
【発明の実施の形態】
以下、本発明の好適な実施の形態を図面に基づいて説明する。
図１は、本発明の好ましい実施形態としての動態調査システム１の構成例を示すシステム構成図である。
動態調査システム１は、調査端末１１、基地局８、ネットワーク７及び動態調査サーバ５を備えており、好ましくは、閲覧端末２１，３１を備えている。調査端末１１は、例えば携帯型電話装置のような端末装置である。尚、図１においては、１台の調査端末１１が図示されているが、複数の調査端末１１が存在していても良いことはいうまでもない。
【００１９】
調査端末１１は、周囲の状況を調査して得られる動態情報を、後述する記憶手段に記憶する機能を有する。ここで、動態情報は、例えば調査端末１１の周囲の移動体の動きの方向や通行量のカウント値を示しており、この動態情報は、調査対象に応じて様々な情報を採用することができる。具体的には、この調査端末１１は、例えば調査員５１が交差点Ａにおいて通行量の調査をする際に通行量のカウント値が入力されることで、周囲の通行量の調査を行うための端末装置である。
この調査端末１１は、例えばＧＰＳ（Ｇｌｏｂａｌ  ＰｏｓｉｔｉｏｎｉｎｇＳｙｓｔｅｍ）を利用して衛星３が出力する衛星電波を受信し、衛星電波に含まれる航法メッセージを取得し、例えば緯度や経度で表される調査地点の位置情報を解析する機能を有する。
【００２０】
また、調査端末１１は、例えば通行量に関する動態情報を基地局８との間でデータ通信を行う機能を有する。この基地局８は、ネットワーク７に接続されており、調査端末１１から受信したデータをネットワーク７に接続されたコンピュータ等との間でデータ通信を行う機能を有する。また、このネットワーク７には、これ以外にも集計センタ２における動態調査サーバ５に接続されており、好ましくは閲覧端末３１とも接続されている。
【００２１】
また、集計センタ２の動態調査サーバ５は、調査端末１１に蓄積された動態情報を調査端末１１から受信し、動態情報の集計を行う機能を有する。具体的には、この動態調査サーバ５は、例えば調査員５１によって調査端末１１に入力されたカウント値を含む調査結果に関する動態情報を、基地局８及びネットワーク７を経由して受信する機能を有する。また、この動態調査サーバ５は、受信した動態情報を調査地点の位置情報ごとに集計し、集計された動態情報を調査地点の位置情報ごとに管理して蓄積する機能を有する。
【００２２】
また、上記ネットワーク７は、例えばインターネットやイントラネットのようなネットワークであり、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のようなプロトコルを用いてデータ通信を行う伝送媒体である。上記動態調査サーバ５及び閲覧端末３１は、それぞれ例えばコンピュータのような電子機器である。また、閲覧端末２１は、調査端末１１とほぼ同様なハードウェア構成を有する携帯型の端末装置である。
【００２３】
本発明の実施形態において特徴的なことは、動態調査サーバ５が調査端末１１から動態情報を受信した際に動態情報に時刻情報を付加するのではなく、周囲の状況を調査して得られた動態情報が調査端末１１に入力された際に動態情報に時刻情報を付加していることである。具体的には、調査端末１１は、調査端末１１が、周囲の状況を調査して得られた動態情報に調査地点の位置情報及び／又は調査した時刻情報を対応付けて、後述する記憶手段に記憶して動態情報を蓄積している。この調査端末１１は、調査地点の位置情報及び／又は調査した時刻情報に対応付けて記憶した動態情報を、動態調査サーバ５に対して送信する機能を有する。このようにすると、調査端末１１では、調査地点の位置情報及び／又は調査した時刻情報を動態情報に個々に対応付けて入力する必要がなくなり、調査の際の手間を省くことができる。
【００２４】
また、動態調査サーバ５では、調査端末１１から受信した動態情報を、動態情報に対応付けた調査地点の位置情報及び／又は調査した時刻情報ごとに集計し、調査地点の位置情報及び／又は調査した時刻情報ごとに動態情報を管理して蓄積する機能を有する。このようにすると、動態調査サーバ５では、調査端末１１によって調査地点の位置情報及び／又は調査した時刻情報を対応付けて発信された動態情報を受信しているので、動態情報の集計処理の際に調査地点の位置情報及び／又は調査した時刻情報を個々に動態情報に対して対応付けて入力する必要がなくなり、集計処理の際の手間を省くことができる。
【００２５】
また、この調査端末１１は、後述する入力手段を用いて、例えば周囲の通行量が入力されることで、動態情報の一例としての周囲の通行量の調査を行う端末装置である。このような構成とすると、通行量の調査では、調査端末１１の調査地点の位置情報及び／又は調査した時刻情報を動態情報に対応付けることが望ましいが、この動態調査システム１では、調査端末１１において調査地点の位置情報及び／又は調査した時刻情報を通行量に関する動態情報に対応付けて記憶手段に記憶して、発信している。このため、動態調査サーバ５側では、受信した通行量に関する動態情報に調査地点の位置情報及び／又は調査した時刻情報が既に対応付けられているので、調査端末１１の調査地点の位置情報及び／又は調査した時刻情報を個々に通行量に関する動態情報に対して対応付ける必要がないので、集計処理の際の手間を省くことができる。
【００２６】
図２は、図１に示す調査端末１１の外観の一例を示す平面図である。
調査端末１１は、筐体７４の上部に表示手段１１ｇが設けられており、中央部に第１ボタン７１、メニューボタン７３、第２ボタン７２、１ボタン８１〜０ボタン９０、＊ボタン７５及び＃ボタン７６を備えており、その筐体７４の上部にアンテナ１１ｘ，１１ｙを備えた構成となっている。
【００２７】
メニューボタン７３は、押されることによって表示手段１１ｇに所定のメニューを表示する機能を有する。第１ボタン７１及び第２ボタン７２は、それぞれ表示手段１１ｇに表示されたボタンオブジェクトを操作するためのボタンである。この表示手段１１ｇには、調査端末１１によって調査される調査内容が表示されるようになっている。
【００２８】
１ボタン８１〜０ボタン９０並びに＊ボタン７５及び＃ボタン７６は、例えば調査内容に応じて予め設定された機能が割り付けられている。この調査端末１１は、入力手段としての１ボタン８１等が押されたことを検出する機能を有する。また、調査端末１１においては、各ボタンに設定された機能を、必要に応じて変更可能な構成となっている。
【００２９】
図３は、図１及び図２に示す調査端末１１のハードウェア構成例を示すブロック図である。尚、図１に示す閲覧端末２１は、調査端末１１とほぼ同様なハードウェア構成であるので説明を省略する。
図３に示す調査端末１１は、ＣＰＵ（Ｃｅｎｔｒａｌ  ＰｒｏｃｅｓｓｉｎｇＵｎｉｔ）１１ａ、記憶手段１１ｂ、受信手段１１ｈ、通信手段１１ｅ、操作手段１１ｄ、表示手段１１ｇ、ＧＰＳアンテナ１１ｘ、通信アンテナ１１ｙ及び電源部１１ｊを備えており、好ましくは外部インターフェイス１１ｉ及び記録メディアインターフェース１１ｋを備えている。
【００３０】
ＣＰＵ１１ａは、調査端末１１全体を制御するための中央演算処理部であり、記憶手段１１ｂを作業領域として、後述する調査端末１１における動態調査機能を発揮させるプログラム９９ａを動作させる機能を有する。この記憶手段１１ｂは、例えばＲＡＭ（Ｒａｎｄｏｍ  Ａｃｃｅｓｓ  Ｍｅｍｏｒｙ）のような揮発性のメモリや、書き換え可能な不揮発メモリであるフラッシュＲＯＭ（ＲｅａｄＯｎｌｙ  Ｍｅｍｏｒｙ）を含んでいる。記憶手段１１ｂは、上記プログラム９９ａを実行するための作業領域を確保可能なメモリである。
【００３１】
操作手段１１ｄは、表示部１１ｇの画面に表示されたボタン等のオブジェクトを操作するための、図２に示す第１ボタン７１や第２ボタン７２の他、メニューボタン７３及び１ボタン８１等を含む操作部である。図３の表示手段１１ｇは、文字や図形を表示する機能を有する表示手段であり、例えばＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）素子を用いた表示装置である。
【００３２】
通信手段１１ｅは、通信アンテナ１１ｙを用いて、例えば無線或いは有線によって基地局やネットワークを経由して、外部のコンピュータ等との間でデータ通信を行う機能を有する。受信手段１１ｈは、図１に示す衛星３からの衛星電波（ＧＰＳ信号）を受信する機能を有し、この衛星電波に基づいて現在地を測位することができる。ここで、現在地等の位置情報は、例えば緯度及び経度を含んでいる。図３の外部インターフェイス１１ｉは、例えばＵＳＢ（ＵｎｉｖｅｒｓａｌＳｅｒｉａｌ  Ｂｕｓ）のような外部の電子機器とのインターフェイス機能を発揮する端子である。
【００３３】
記録メディアインターフェース１１ｋは、調査端末１１に着脱可能な記録メディアを装着するためのインターフェースである。この記録メディアは、通信手段１１ｅを用いて上記動態情報を調査端末１１と動態調査サーバ５との間でデータ通信する代わりに、上記動態情報自体を格納させるための不揮発性のメモリである。動態情報を格納した記録メディアは、記録メディアインターフェース１１ｋから取り外され、例えば動態調査サーバ５側に設けた図示しない記録メディアインターフェースに装着され、動態情報が動態調査サーバ５に読み取られる。
【００３４】
このよう記録メディアインターフェース１１ｋを設けると、動態情報のデータサイズが少々大きくても、調査端末１１から動態情報を動態調査サーバ５に取り込むことができるようになる。また、このような構成では、動態情報を調査端末１１と動態調査サーバ５との間においてやり取りする際の通信コストを下げることができる。
【００３５】
図４は、図１に示す動態管理サーバ５のハードウェア構成例を示すブロック図である。尚、上述のように図１に示す閲覧端末３１は、動態調査サーバ５と処理速度やデータ記憶容量が異なる点を除いてほぼ同様のハードウェア構成であるので説明を省略する。
動態調査サーバ５は、ＣＰＵ１６３、ハードディスク１６１、ＲＯＭ１６４、ＲＡＭ１６５及びバス５５を有し、好ましくは表示部１６０及び操作部１６２を有する。
【００３６】
バス５５は、例えばアドレスバスやデータバスを有するバス線であり、ＣＰＵ１６３、ＲＯＭ１６４、ＲＡＭ１６５及びハードディスク１６１が接続されており、好ましくは表示部１６０及び操作部１６２が接続されている。ハードディスク１６１は、動態調査サーバ５における動態調査機能を発揮させるプログラム９９やデータを格納可能な磁気ディスク装置等の大容量の情報記憶媒体である。
【００３７】
ＣＰＵ１６３は、中央演算処理部であり、例えばハードディスク１６１から上記プログラム９９を読み出して、ＲＡＭ１６５を作業領域として、上記プログラム９９を動作させる機能を有する。つまり、ＲＡＭ１６５は、上記プログラム９９を実行するための作業領域や一時的にデータを格納するための揮発性メモリである。
【００３８】
ＲＯＭ１６４は、読み出し専用のメモリであり、例えばＢＩＯＳ（ＢａｓｉｃＩｎｐｕｔ  Ｏｕｔｐｕｔ  Ｓｙｓｔｅｍ）を格納している。尚、このＲＯＭ１６４は、例えば書き換え可能な不揮発性メモリであっても良い。表示部１６０は、文字や図形を表示する機能を有する表示手段であり、例えばＬＣＤやＥＬ素子を用いた表示装置である。操作部１６２は、表示部１６０に表示されたオブジェクトを操作するためのマウス、タブレット、キーボード等の操作手段である。
【００３９】
図５は、図１に示す調査端末１１のソフトウェア構成例を示すブロック図である。尚、図５に示すソフトウェア構成は、上述した調査端末１１における動態調査機能を発揮させるプログラム９９ａに相当している。
調査端末１１は、送信部４１、送信データ作成部４２、動態情報取得部４３、動態情報記憶テーブル４４、キー割り当てテーブル４７、測位部４６及びキー押下検出部４５を備えている。
【００４０】
測位部４６は、図３に示す受信手段１１ｈを制御し、調査端末１１の調査地点の位置情報を取得する機能を有する。具体的には、図５に示す測位部４６は、例えばＧＰＳを用いて、受信した衛星電波に含まれる航法メッセージを解析し、例えば緯度や経度で表される調査地点の位置情報を取得する。この衛星電波には、例えば現在時刻に関する時刻情報が含まれている。この測位部４６は、測位した測位結果としての調査地点の位置情報を動態情報記憶テーブル４４に蓄積する機能を有する。
【００４１】
キー押下検出部４５は、図２に示す各ボタンが押されたことを検出する機能を有する。このキー押下検出部４５は、例えばＢＩＯＳ（Ｂａｓｉｃ  ＩｎｐｕｔＯｕｔｐｕｔ  Ｓｙｓｔｅｍ）の機能を利用している。このキー押下検出部４５において特徴的なことは、時刻情報取得手段としての時刻情報取得部４５ａを備えていることである。
【００４２】
この時刻情報取得部４５ａは、現在時刻に関する時刻情報を取得する機能を有し、上記測位部４６が測位を行った際の衛星電波に含まれる現在時刻に関する情報を利用している。時刻情報取得部４５ａは、キー押下検出部４５が各ボタンが押されたことを検出すると、押されたキーに対応させて現在時刻に関する時刻情報を動態情報記憶テーブル４４に記録する機能を有する。
【００４３】
従って、時刻情報取得部４５ａは、各ボタンが押された時点における調査端末１１の周囲の状況を調査して得られた動態情報に時刻情報を付加して、動態情報を動態情報記憶テーブル４４に記録している。この動態情報には、上述のように好ましくは調査地点の位置情報も対応付けられているので、動態情報記憶テーブル４４に記録された動態情報は、調査地点の位置情報が対応付けられていると共に、時刻情報が付加されて管理されている。
このような構成とすると、調査端末１１は、動態情報が入力された際の時刻情報及び調査地点の位置情報を動態情報に個々に対応付けて入力する必要がなくなり、調査の際の手間を省くことができる。
【００４４】
さらに具体的には、上記キー押下検出部４５は、ボタンが押されたことを検出すると、動態情報記憶テーブル４４に、例えば端末ＩＤ、押された操作キー（ボタン）の種類を表すキーＩＤ、調査地点の位置情報及び調査した時刻情報を登録する機能を有する。この動態情報記憶テーブル４４には、例えば図６（Ａ）に示すように端末ＩＤ（ＩＤｅｎｔｉｆｉｃａｔｉｏｎ）、操作キー、調査地点の位置情報及び調査した時刻情報が蓄積されるようになっている。
調査端末１１は、調査員による調査結果に応じて入力された動態情報を動態情報記憶テーブル４４に蓄積する機能を有する。この動態情報記憶テーブル４４は、単に動態情報を蓄積するのみならず、この調査内容に従って調査地点の位置情報及び／又は調査した時刻情報も管理する構成となっている点が特徴的である。
【００４５】
また、図５のキー割り当てテーブル４７は、図６（Ｂ）に示すように操作キーＩＤ、操作キー名称及び操作キー機能名称を管理できる構成となっている。操作キーＩＤは、図２に示す各ボタン７１等の操作キーをそれぞれ識別するための識別子としてのユニークなＩＤを表している。操作キー名称は、各操作キーに付された名前を表しており、操作キー機能名称は、各操作キーに割り付けられた機能の名称を表している。
【００４６】
図５の動態情報取得部４３は、動態情報記憶テーブル４４から、上記動態情報と共に、その動態情報に対応付けられた調査地点の位置情報及び／又は調査した時刻情報を取得する機能を有する。また、動態情報取得部４３は、必要に応じて、キー割り当てテーブル４７から各ボタンに割り当てられた機能を取得する構成となっている。図５の送信データ作成部４２は、動態情報取得部４３が取得した動態情報、その調査地点の位置情報及び／又は調査した時刻情報に基づいて、動態調査サーバ５に対して送信すべき、調査地点の位置情報及び／又は調査した時刻情報が対応付けられた動態情報の送信データを作成する機能を有する。また、送信データ作成部４２は、送信部４１を制御して、図１に示す基地局８及びネットワーク７を経由して、動態調査サーバ５に対して、調査地点の位置情報及び／又は調査した時刻情報に対応付けた動態情報を送信する機能を有する。
このように調査端末１１が、周囲の状況を調査して得られた動態情報を調査地点の位置情報及び／又は調査した時刻情報に対応付けて記憶してから発信すると、調査端末１１による調査地点の位置情報を個々に対応付けて入力する必要がなくなり、調査端末１１による調査の際の手間を省くことができる。
【００４７】
図７は、図６に示す動態情報記憶テーブル４４で管理されている動態情報の具体例を示す図である。
動態情報記憶テーブル４４は、例えば地点名称、調査地点の位置情報、誤差許容範囲及び交通量に関する動態情報を管理することができる構成となっている。地点名称は、調査地点の地理的な名称を表している。誤差許容範囲は、上述の調査端末１１から送信されてきた動態情報の調査地点の位置情報に関する測位誤差の範囲を表している。つまり、複数の動態情報があった場合には、誤差許容範囲の値が大きいほど、両動態情報は、同一の調査地点で調査された調査結果であると認められやすくなるのである。
【００４８】
また、通行量の一例としての交通量に関する情報には、操作キーＩＤ及び調査した時刻情報が含まれている。操作キーＩＤは、予め設定されたキー割り当てに応じて「ＭＳ００１」等で表されている。一方、時刻情報は、例えば調査日付及び調査時刻を含む「２００３／０４／０１  ０９：１０：１０」等で表されている。このように動態情報記憶テーブル４４には、周囲の状況を調査して得られた動態情報の入力に応じて動態情報を管理することができるようになっている。
【００４９】
図８は、図１に示す動態調査サーバ５のソフトウェア構成例を示すブロック図であり、図９〜図１１は、それぞれ図８に示すデータベース６１における各テーブルのテーブル構成例を示す図である。尚、図示のソフトウェア構成例は、上記動態調査サーバ５における動態調査機能を発揮させるプログラム９９に相当している。
動態調査サーバ５は、送受信部６２、認証部６３、認証テーブル６４、情報抽出部６５、動態情報解析部６８、集計処理部６９、登録処理部７０及びデータベース６１を備え、好ましくは閲覧結果データ作成部６７及び閲覧処理部６６を備えている。
【００５０】
送受信部６２は、例えばＴＣＰ／ＩＰをプロトコルとしてデータ通信を行う機能を有している。送受信部６２は、図１に示す基地局８及びネットワーク７を経由して調査端末１１から動態情報を受信する機能を有する。また、この送受信部６２は、後述するように動態情報についての閲覧要求を受信したり、その閲覧要求に応じた閲覧結果としての動態情報を送信する機能を有する。
【００５１】
認証部６３は、例えば図１の閲覧端末２１，３１のような動態調査サーバ５に対してアクセスしてきた相手の認証を行う機能を有する。認証テーブル６４は、例えば図９に示すように認証を行う相手としての閲覧端末２１，３１の端末ＩＤごとに閲覧者等の認証情報を管理することができるテーブル構成となっている。図８の認証部６３は、動態調査サーバ５に対してアクセスしてきた相手に関して、認証テーブル６４からの認証情報に基づいて認証処理を行う構成となっている。
【００５２】
情報抽出部６５は、送受信部６２が受信した調査端末１１からの動態情報を解析し、動態情報に含まれる位置情報を抽出する機能を有する。また、動態情報解析部６８は、抽出された動態情報を解析し、調査端末１１ごとの動態情報を解析する機能を有する。
【００５３】
この動態調査システム１では、例えば調査端末１１側で調査した時刻情報を動態情報に付加するのではなく、例えば動態調査サーバ５側で調査した時刻情報を動態情報に付加するようにしている点が特徴的である。集計処理部６９は、調査端末１１からの動態情報に関して、例えば調査地点の位置情報及び／又は調査した時刻情報ごとに所定の集計処理を行う機能を有する。上記集計処理部６９は、情報抽出部６５が抽出した調査地点の位置情報及び／又は調査した時刻情報並びに、動態情報解析部６８が解析した動態情報に基づいて、所定の集計処理を行う。
【００５４】
この集計処理部６９において特徴的なことは、動態情報に関する集計処理を行うばかりでなく、この動態情報を取得した際の調査した時刻情報及び／又は調査地点の位置情報に基づいてデータ処理していることである。このようにすると、集計処理部６９は、調査を行った調査端末１１の調査した時刻情報及び／又は調査地点の位置情報が動態情報に対応付けられているので、調査した時刻情報及び／又は各調査地点の位置情報を個々の動態情報に対応付ける手間を必要としない点が特徴的である。
【００５５】
登録処理部７０は、集計処理部６９によって集計された動態情報を動態情報テーブル７１に対して登録する機能を有する。この際、登録処理部７０は、キー割り当てテーブル７２において設定されているキー割り当てを参照しつつ動態情報テーブル７１に対して登録する構成となっている。キー割り当てテーブル７２は、その列名として、図１０（Ｂ）に示すように地点名称、端末ＩＤ、操作キーＩＤ、操作キー名称及び操作キー機能名称を管理することができる構成となっている。地点名称は、調査端末１１によって調査を行った地点に関する名称を表わしている。操作キーＩＤは、操作キーの識別子である。操作キー名称は、操作キーＩＤに割付けるキー（ボタン）名称を表わしている。操作キー機能名称は、操作キーＩＤに割付けられた機能名を表わしている。
【００５６】
図１０（Ｂ）のキー割り付け例では、例えば交差点Ａにおいては、例えば２番ボタンに北方面、４番ボタンに西方面、６番ボタンに東方面、８ボタンに南方面と設定されている。このようにキー割り当てテーブル７２は、各調査地点においてキー番号をどのような機能に割り当てるかを設定することができる構成となっている。図８の調査端末テーブル７３は、図１０に示すように、端末ＩＤごとに端末電話番号や調査担当者名を管理する構成となっている。
【００５７】
図８に示す動態情報テーブル７１は、その列名として、少なくとも図１１（Ａ）に示すような端末ＩＤ、調査地点の位置情報、操作キーＩＤ及びキー操作時刻（時刻情報）のような列名を有し、好ましくは図１１（Ｂ）に示すように地点名称、位置調査端末ＩＤ、調査担当者、時刻情報及び通行量のような列名に対応した動態情報を管理する構成となっており、好ましくは誤差許容範囲を管理する構成となっている。図１１に示す地点名称は、図１０に示す地点名称に対応して設定されている。
【００５８】
位置情報は、調査端末１１が調査を行った調査地点に関する、例えば緯度や経度で表される情報である。調査端末１１の端末ＩＤは、例えば各調査端末１１同士を区別するための識別子である。調査担当者は、その調査端末１１を用いて調査を行う担当者を表わしている。時刻情報は、調査端末１１によって調査を行った時間的な情報を表わしている。通行量は、例えば調査端末１１の周辺の状況を調査して得られた動態情報としての交通量であり、ここでは、上述のように割り付けられた２番ボタン、４番ボタン、６番ボタン及び８番ボタンを押したカウント値で管理するようになっている。
【００５９】
動態情報提供手段としての閲覧処理部６６は、上記動態情報の閲覧を行う図１の閲覧端末２１，３１からの要求に応じて、調査地点の位置情報及び／又は調査した時刻情報ごとに蓄積した動態情報を閲覧端末２１，３１に対して提供する機能を有する。このようにすると、動態調査サーバ５が閲覧処理部６６を備えているので、閲覧端末２１，３１は、動態調査サーバ５から調査地点の位置情報及び／又は調査した時刻情報に対応付けした動態情報を取得することができ、調査地点の位置情報及び／又は調査した時刻情報を考慮しつつ動態情報を利用することができる。
【００６０】
閲覧処理部６６は、閲覧端末２１，３１からの閲覧要求を受けると、閲覧結果データ作成部６７に対して閲覧処理を開始する指示を行う。閲覧結果データ作成部６７は、動態情報テーブル７１に登録された調査端末１１の位置情報及び／又は調査した時刻情報ごとの動態情報を取得し、上記閲覧端末２１，３１に対して送信すべき閲覧結果データを作成する機能を有する。閲覧処理部６６は、送受信部６２を制御して、閲覧結果データ作成部６７が作成した閲覧結果データを、図１に示す閲覧端末２１，３１に対して提供する機能を有する。
【００６１】
ここで本実施形態においては、上記図３に示す調査端末１１の測位部４６が、測位誤差抽出手段としての測位誤差抽出部４６ａを備えているのが望ましい。具体的には、この測位誤差抽出部４６ａは、例えば受信した衛星電波に含まれる航法メッセージを解析し、調査地点の位置情報を取得した際の測位誤差を抽出する機能を有する。
【００６２】
ここで、調査端末１１の送信部４１は、例えば調査地点の位置情報及び／又は調査した時刻情報ごとに対応付けて動態情報記憶テーブル４４（図３の記憶手段１１ｂ）に記憶された動態情報と共に、動態情報記憶テーブル４４によって抽出された測位誤差を発信する機能を備えているのが望ましい。また、図８の動態調査サーバ５の動態情報テーブル７１（図４のハードディスク１６１）は、調査地点の位置情報及び／又は調査した時刻情報に対応付けた動態調査ごとに上記測位誤差を管理する構成となっているのが望ましい。
【００６３】
このような構成とすると、図の測位誤差抽出部４６ａが、調査地点の位置情報を取得した際の測位誤差を抽出しているので、以下のような利点がある。つまり、調査端末１１によって調査地点の位置情報の測位を行うと多少の誤差を含んでいることが多いものの、動態調査サーバ５では、動態情報記憶テーブル４４が調査端末１１の調査地点の位置情報及び／又は調査した時刻情報に対応付けた動態情報ごとに測位誤差を管理しているので、測位誤差に応じて動態情報の信頼性を判断しつつ動態情報を利用することができる。
【００６４】
調査端末１１及び動態調査サーバ５を含む動態調査システム１は以上のような構成であり、次に図１〜図１１を参照しつつその動作例としての動態調査方法の手順の一例について説明する。
図１２は、本発明の好ましい実施形態としての動態調査方法の手順の一例を示すフローチャートであり、図１３〜図１７は、それぞれ図１に示す調査端末１１ｇに表示された画面例を示す図である。
【００６５】
図１２に示すステップＳＴ１では、図１に示す調査端末１１が、例えば調査員５１によって電源がオンされる。次にステップＳＴ２では、調査端末１１において、図３に示す記憶手段１１ｂに予め格納されている設定値がＣＰＵ１１ａに読み込まれる。ここでいう設定値とは、例えば調査端末１１におけるキー割り当てを示している。
【００６６】
次にステップＳＴ３では、図５に示す測位部４６が、図３に示す受信手段１１ｈを制御しつつ衛星電波を受信し、衛星電波に含まれる航法メッセージを解析し、調査端末１１の調査地点の位置情報を測位する。次にステップＳＴ４では、このような測位処理が終了する。次にステップＳＴ４ａでは、調査端末１１が位置情報を動態調査サーバ５へ送信する。次にステップＳＴ５では、動態調査サーバ５の登録位置が存在するか否かが判断される。ここで、動態調査サーバ５の登録位置が存在しているか否かを判断しているのは、例えば調査端末１１が送信した位置情報が動態調査サーバ５に既に登録されている調査地点情報（位置情報、誤差許容範囲）と一致しており、調査を開始した際、動態調査サーバ５にデータを蓄積できる状態になっているかを確認するためである。
【００６７】
ステップＳＴ５において存在する場合にはステップＳＴ６に進み、ステップＳＴ５において存在しない場合にはステップＳＴ７に進む。このステップＳＴ７では、動態調査サーバ５の登録位置から選択するか否かを判断する。選択しない場合には、ステップＳＴ８に進み処理を終了し、選択する場合にはステップＳＴ６に進む。
【００６８】
このステップＳＴ６では、図１に示すように調査員５１が調査端末１１を用いて、例えば交差点Ａにおける通行量の調査を開始する。このステップＳＴ３では、図１３に示すように調査端末１１の表示手段１１ｇには図示のような画面が表示される。この表示手段１１ｇには、調査端末１１が調査地点の位置情報を取得中である旨の表示がされている。
【００６９】
この表示画面には、調査地点の位置情報を取得中であることの表示のみならず、調査地点の位置情報を取得した現在時刻に関する時刻情報が表示されるようになっている。ここで、この現在時刻は、上記測位部４６が測位した際の衛星電波に含まれる現在時刻に関する情報に基づいて表示がされている。このように調査した時刻情報が表示されると、調査員５１がその時刻を視覚的に認識することができる。
また、この表示手段１１ｇには、第１ボタン７１に割り当てられた機能である測位取消しボタンオブジェクト７１ａ及び第２ボタン７２に割り当てられた終了機能を表わすボタンオブジェクト７２ａが表示されている。
【００７０】
図１に示す調査員５１が調査端末１１を操作して調査を開始しようとすると、図１４に示す調査端末１１の表示手段１１ｇには、図示のような調査開始確認画面が表示される。調査端末１１は、取得した調査地点の位置情報を、基地局８及びネットワーク７を経由して、集計センタ２の動態調査サーバ５に対して送信する。動態調査サーバ５では、調査端末１１の現在地に関する情報に基づいて調査端末１１の現在地に対応する、例えば交差点名「Ａ」を表示する。
【００７１】
従って、調査端末１１では、図１４に示すような画面表示がなされ、ここでは、例えば調査端末１１が交差点Ａに位置していると表示がされる。また、この調査開始確認画面では、調査端末１１を用いて調査員５１が調査を開始するか否かの確認を行うことができる。この調査開始確認画面では、例えば現在時刻が表示されていることから、調査員５１が調査開始時間を視覚的に認識することができる。図１に示す調査員５１が調査を開始する場合には、第１ボタン７１に割り当てられた開始機能のボタン表示７１ｂを押すことで調査が開始される。
【００７２】
次に図１２に示すステップＳＴ９では、調査端末１１が調査員５１のボタン操作を待つ処理が行われる。ここで、調査中の調査端末１１には、図１５に示すような端末集計状況表示画面が表示されている。この端末集計状況表示画面では、例えば各ボタンに割り当てられた方角（方面）ごとにカウント値が表示されている。また、この端末集計状況表示画面では、調査を開始した開始時刻及び現在時刻が表示されるようになっている。
【００７３】
このように端末集計状況表示画面では、開始時刻及び現在時刻が表示されているため、調査員５１が調査時間を視覚的に認識することができる。次に、図１２のステップＳＴ１０では、図５に示すキー押下検出部４５が、調査員５１によって、図１６の調査端末１１の終了ボタン７２ａが押されたか否かを判断する。終了ボタン７２ａが押された場合には、ステップＳＴ１１に進む。一方、終了ボタン７２ａが押されていない場合には、ステップＳＴ１３に進む。
【００７４】
ステップＳＴ１１では、図５に示す動態情報取得部４３が未送信の動態情報が存在するか否かを判断し、未送信の動態情報が存在する場合にはステップＳＴ１２に進む。一方、未送信の動態情報が存在しない場合には、ステップＳＴ１４に進み処理が終了する。上記ステップＳＴ１２では、動態情報を動態調査サーバ１２に対して送信する処理が行われる。
【００７５】
具体的には、上述したように図５に示す動態情報取得部４３が、動態情報記憶テーブル４４から動態情報を取得し、送信データ作成部４２に対して引き渡す。送信データ作成部４２では、送信部４１を制御し、引き渡された動態情報を図１に示す基地局８及びネットワーク７を経由して集計センタ２の動態調査サーバ５に対して送信する処理を行う。
【００７６】
このような図１２のステップＳＴ１０〜ステップＳＴ１４のような手順を踏むと、終了ボタン７２ａを押した際に未送信の動態情報が存在した場合に確実に動態調査サーバ５に対して動態情報を送信することができるようになる。ここで、このような調査終了確認画面としては、図１６に示すような画面を例示することができる。
【００７７】
このように動態情報の送信が終了すると、調査端末１１の表示手段１１ｇには、例えば図１７に示すような画面が表示される。この調査終了画面では、動態調査サーバ５に対して動態情報の送信が完了した旨の表示のみならず、調査の開始時刻及び終了時刻が表示されるようになっている。このように調査の開始時刻及び終了時刻が表示され、調査員５１が調査の開始時刻及び終了時刻を視覚的に認識することができるので、調査精度をより高めることができる。
【００７８】
一方、上記図１２のステップＳＴ１３では、動態情報の送信ボタンが押されたか否かが判断される。具体的には、図１５に示す調査端末１１の表示手段１１ｇには、第１ボタン７１に対応づけられた送信ボタン７１ｃが表示されている。調査員５１が動態情報を送信する場合には、図１５に示す第１ボタン７１を押すことで、調査端末１１では、図５に示す動態情報取得部４３が、上記同様に動態情報記憶テーブル４４から、調査端末１１の調査地点の位置情報及び／又は調査した時刻情報と共に管理されている動態情報を取得し、送信データ作成部４２に対して引き渡す。送信データ作成部４２は、上記同様に、送信データを作成し、送信部４１を制御し、動態調査サーバ５に対して動態情報を送信するようになっている（ステップＳＴ１５）。
【００７９】
一方、図１５において送信機能に対応づけられた第１ボタン７１が押されなかった場合には、ステップＳＴ１６に進む。ステップＳＴ１６では、調査端末１１において、図５に示すキー押下検出部４５は、調査員５１が押した該当ボタンのカウント値のインクリメントを行う。このようにインクリメントされたカウント値は、キー押下検出部４５によって、動態情報記憶テーブル４４に対して登録される。またこのとき、キー押下検出部４５が測位部４６に対して指示を行い測位部４６が測位を行い、例えば上記カウント値と共に調査端末１１の調査地点の位置情報及び調査した時刻情報を動態情報記憶テーブル４４に登録する構成となっている。
【００８０】
次にステップＳＴ１７では、図５に示す動態情報取得部４３において動作しているタイマー機能に応じて、動態情報送信間隔が経過したか否かが判断される。経過している場合には、ステップＳＴ１５に進み、経過していない場合には、ステップＳＴ９に戻る。経過している場合には、上述と同様に動態情報取得部４３が動態情報記憶テーブル４４から動態情報を取得し、この動態情報が上述のように図１に示す動態調査サーバ５に対して送信される。
【００８１】
図１８は、図１に示す集計センタ２側の動態調査サーバ５におけるデータ集計処理の手順の一例を示すフローチャートである。
まず、ステップＳＴ２１では、図１に示す動態調査サーバ５が、ネットワーク７及び基地局８を経由して、調査端末１１からの動態情報を受信する。具体的には、調査端末１１からの動態情報が、図８に示す送受信部６２によって受信される。
【００８２】
次にステップＳＴ２２では、調査端末１１の端末ＩＤがチェックされ、ステップＳＴ２３に進む。このステップＳＴ２３では、情報抽出部６５が、送受信部６２が受信した動態情報に含まれる調査地点の位置情報及び調査した時刻情報を抽出し、チェックを行う。次にステップＳＴ２４では、調査端末１１からの動態情報の解析が、動態情報解析部６８によって行われる。
【００８３】
次にステップＳＴ２５では、集計処理部６９が動態情報の集計処理を行う。具体的には、この集計処理部６９が、情報抽出部６５によって抽出された調査端末１１の位置情報及び／又は調査した時刻情報並びに、動態情報解析部６８によって解析された動態情報に基づいてデータ集計処理を行う。この集計処理部６９は、動態情報に、その調査を行った調査端末１１の調査地点の位置情報及び／又は調査した時刻情報が対応付けられているため、その位置情報に応じた集計処理を行うことができる。このように動態情報にはその調査地点の位置情報に関する位置情報が対応付けられているので、動態情報に位置情報を個々に対応付ける必要がないため入力等の手間を省くことができる。
【００８４】
次にステップＳＴ２６では、図８の登録処理部７０が、動態情報テーブル７１に対して、上記調査端末１１の位置情報及び／又は調査した時刻情報ごとに、動態情報を登録する処理を行う。このとき、登録処理部７０は、キー割り当てテーブル７２から、調査端末１１に設けられた各ボタンの割り当て機能を参照しながら動態情報テーブル７１に動態情報を上記調査地点の位置情報及び／又は調査した時刻情報に対応付けて登録することができる。
【００８５】
このようにキー割り当てテーブル７２を設けて、キー割り当てテーブル７２に、調査内容に応じて設定されたキー割り当てを設定することで、様々な集計処理結果を動態情報テーブル７１に蓄積することができるようになる。
ここで、キー割り当てテーブル７２におけるキー割り当てとしては、例えば図１９に示すような交差点Ａにおける通行対象８８に関して、その通行方向である北向きに２番ボタン、南向きに８番ボタン等のような設定を例示することができる。
【００８６】
＜閲覧＞
図２０は、動態情報の閲覧処理の手順の一例を示すフローチャートである。
図２１〜図２４は、閲覧端末２１，３１の表示部６０に表示された画面例を示す図である。閲覧端末２１，３１は、ＰＤＡ（Ｐｅｒｓｏｎａｌ  Ｄｉｇｉｔａｌ  Ａｓｓｉｓｔａｎｔ）等の情報端末であるかコンピュータであるかの違いを除いて、動態調査サーバ５に蓄積された調査結果としての動態情報を閲覧検索する機能を有する点で共通であるので、以下の説明では、閲覧端末３１について説明する。
【００８７】
図１に示す集計センタ２側における動態調査サーバ５には、上述のように調査端末１１の調査地点の位置情報及び／又は調査した時刻情報に対応付けられた動態情報が管理されており、この動態情報を、閲覧端末２１，３１から閲覧する処理の手順の一例について説明する。
まず、図２０のステップＳＴ３１では、認証処理が行われる。具体的には、図１の閲覧端末２１，３１から基地局８やネットワーク７を経由して集計センタ２側における動態調査サーバ５に対して所定の閲覧要求が行われる。この動態調査サーバ５では、図８に示す送受信部６２がこの要求を受信し、認証部６３が認証処理を行う。この認証部６３の認証処理としては、例えば認証テーブル６４において管理されている認証情報に基づいて、閲覧要求を行った閲覧端末２１，３１の認証を行っている。
【００８８】
次に閲覧端末３１の表示部６０には、図２１に示すような検索条件設定画面が表示される。この検索条件設定画面は、例えば端末ＩＤ入力欄１１１、端末一覧選択ボタン１１２、測定位置入力欄１１３、測定位置選択ボタン１１４、開始時刻入力欄１１５、終了時刻入力欄１１６、検索ボタン１１７及びクリアボタン１１８を備えている。ここでいう「測定位置」とは、上記調査地点の位置情報を示している。
【００８９】
端末ＩＤ入力欄１１１は、調査結果を検索したい特定の調査端末１１の端末ＩＤを直接入力するエリアである。端末一覧選択ボタン１１２は、端末ＩＤ入力欄１１１に直接端末ＩＤを直接入力する代わりに、このボタンを押すことで検索対象となる調査端末１１の端末ＩＤを表示させ、選択したいずれかの端末ＩＤを端末ＩＤ入力欄１１１に表示させる機能を有する。
【００９０】
測定位置入力欄１１３は、調査端末１１の調査地点の位置情報を直接入力するエリアである。測定位置選択ボタン１１４は、調査地点の位置情報を測定位置入力欄１１３に直接入力する代わりに、このボタンを押すことで検索対象となる調査地点の位置情報を表示させ、選択したいずれかの調査地点の位置情報を測位位置入力欄１１３に表示させる機能を有する。
【００９１】
開始時刻入力欄１１５は、検索をしたい、調査を開始した開始時刻を入力するための入力欄である。一方、終了時刻入力欄１１６は、検索したい、調査を終了した終了時刻を入力するための入力欄である。検索ボタン１１７は、端末ＩＤ入力欄１１１、測位位置入力欄１１３、開始時刻入力欄１１５及び終了時刻入力欄１１６のいずれか又はこれらいずれかの組み合わせに基づいて、動態情報を検索する場合に押すボタンである。クリアボタン１１８は、入力された端末ＩＤ入力欄１１１、測位位置入力欄１１３、開始時刻入力欄１１５及び終了時刻入力欄１１６の内容を全て表示上消去する際に押すボタンである。
【００９２】
上述のように端末一覧選択ボタン１１２を押すと、閲覧端末３１の表示部６０には、図２２に示すような端末ＩＤ一覧画面１２５が重ねて表示される。この端末ＩＤ一覧画面１２５は、端末ＩＤごとに調査担当者名が表示されている。この端末ＩＤ一覧画面１２５では、端末ＩＤ又は調査担当者名のいずれかを選択して選択ボタン１２６を押すと、図２１に示す端末ＩＤ入力欄１１１にその端末ＩＤが設定される。このようにすると、端末ＩＤを直接入力しなくても、図２１に示す端末ＩＤ入力欄１１１に端末ＩＤを設定することができる。一方、図２２において閉じるボタン１２７が押されると、端末ＩＤ一覧画面１２５が、図２１に示すように消える。
【００９３】
次にステップＳＴ３２では、参照したい調査地点の位置情報の指定が行われる。具体的には、測位位置選択ボタン１１４を押すと、図２３に示すような測定位置一覧画面１２８が表示される。この測定位置一覧画面１２８は、地点名称ごとに、その位置を表す緯度や経度、誤差許容範囲及び地図が表示されている。ここで、誤差許容範囲とは、上述した測位した際の誤差の内、許容されるべき誤差の範囲を示している。地図は、地点名称に該当する位置の地図を表すためのリンク先を表している。
【００９４】
この測位位置一覧画面１２８では、地点名称、位置、誤差許容範囲及び地図のいずれかを選択して選択ボタン１２６を押すと、図２１に示す測定位置入力欄１１３にその測定位置が設定される。このようにすると、測定位置を直接入力しなくても、図２１に示す測位位置入力欄１１３に測位位置を設定することができる。一方、図２３において閉じるボタン１２７が押されると、測定位置一覧画面１２８が、図２１に示すように消える。
【００９５】
開始時刻入力欄１１５及び終了時刻入力欄１１６が設定され、検索ボタン１２７が押されると、図２４に示すような検索結果画面が表示される。この検索結果画面は、測定地点（調査地点の位置情報）における調査時間を表す時間帯表示欄１２０及びその調査結果表示欄１２１が表示されるようになっている。このように時間帯毎に検索を行うことができるのは、上述のように調査端末１１が、各動態情報に時刻情報を付加しており、動態調査サーバ５が、時刻情報が付加された各動態情報を、例えば時刻或いは時間帯毎に集計しているためである。このように調査端末１１が、調査時に動態情報に時刻情報を付加しているため、動態調査サーバ５は、各動態情報に時刻情報を付加する必要がないため、簡単に動態情報の集計処理を行うことができる。
【００９６】
図１に示す閲覧端末２１，３１において参照調査地点及び調査した時刻情報の指定が行われると、図８に示す閲覧処理部６６が、閲覧結果データ作成部６７に対して所定の指示を行う。閲覧結果データ作成部６７は、データベース６１の動態情報テーブル７１から、その指定箇所に該当する動態情報の抽出を行う。そして、閲覧結果データ作成部６７は、抽出した動態情報に基づいて閲覧端末２１，３１に対して送信すべき閲覧結果に関するデータ（閲覧結果データ）を作成する。
【００９７】
閲覧結果データ作成部６７によって作成された閲覧結果データは、閲覧処理部６６が送受信部６２を制御しつつ、図１に示す閲覧端末２１，３１に対して送信される。次に図２０のステップＳＴ３４では、このような閲覧結果データを受信した閲覧端末２１，３１において、上述のように抽出された動態情報の表示が行われる。
【００９８】
以上のように、本発明の実施形態によれば、調査端末１１では、周囲の状況を調査して得られた動態情報が調査地点の位置情報及び／又は調査した時刻情報に対応付けられて記憶手段に記憶されているので、調査地点の位置情報及び／又は調査した時刻情報を動態情報に個々に対応付けて入力する必要が無くなり、調査の際の手間を省くことができる。
【００９９】
また、動態調査サーバ５では、調査端末１１によって調査地点の位置情報及び／又は調査した時刻情報を対応付けて発信された動態情報を受信しているので、動態情報の集計処理の際に調査地点の位置情報及び／又は調査した時刻情報を個々に動態情報に対して対応付けて入力する必要がなくなり、集計の際の手間を省くことができる。また、動態調査サーバ５では、動態情報に時刻情報が付された状態で管理されており、その時刻情報を検索キーとして動態情報を検索することが出きるため、動態情報の有効な利用が可能となる。
【０１００】
本発明は、上記実施の形態に限定されず、特許請求の範囲を逸脱しない範囲で種々の変更を行うことができる。例えば上記実施形態の各構成は、その一部を省略したり、上記とは異なるように任意に組み合わせることができる。
動態調査サーバ５における動態調査機能を発揮させるプログラム９９及び調査端末１１における動態調査機能を発揮させるプログラム９９ａは、それぞれ上述のようにコンピュータ等の電子機器にインストールされて動作している形態のみならず、例えばフレキシブルディスク、ＣＤ（Ｃｏｍｐａｃｔ  Ｄｉｓｃ：商標名）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔｅｒｂｌｅ）又はＤＶＤ（Ｄｉｇｉｔａｌ  Ｖｅｒｓａｔｉｌｅ  Ｄｉｓｃ）、ＤＶＤ−Ｒ（Ｄｉｇｉｔａｌ  Ｖｅｒｓａｔｉｌｅ  Ｄｉｓｃ−Ｒｅｃｏｒｄａｂｌｅ）、ＤＶＤ−ＲＡＭ（Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ）等の情報記録媒体に格納されて流通されている形態でも良い。
【０１０１】
また、上記動態調査機能を発揮させるプログラム９９，９９ａは、それぞれ上記情報記録媒体に格納されている形態のみならず、無線又は有線によってデータ通信を行うネットワーク等の伝送媒体を経由してユーザのコンピュータ等の電子機器にダウンロードされる形態であっても良いことはいうまでもない。さらに、上記動態調査機能を発揮させるプログラム９９，９９ａは、それぞれ要求に応じて、アプリケーションソフトウェアを一定期間に渡って貸し出しを行うＡＳＰ（Ａｐｌｉｃａｔｉｏｎ  Ｓｅｒｖｉｃｅ  Ｐｒｏｖｉｄｅｒ）からダウンロードされて実行される形態であっても良いことはいうまでもない。
【図面の簡単な説明】
【図１】動態調査システムの構成例を示すシステム構成図。
【図２】図１に示す調査端末の外観の一例を示す平面図。
【図３】調査端末の電気的な構成例を示すハードウェア構成図。
【図４】動態調査サーバのハードウェア構成例を示すブロック図。
【図５】図１に示す調査端末のソフトウェア構成例を示すブロック図。
【図６】図５に示す各テーブルのテーブル構成例を示す図。
【図７】図５に示す動態情報記憶テーブルのデータ例を示す図。
【図８】動態調査サーバのソフトウェア構成例を示すブロック図。
【図９】図８に示すデータベースにおけるテーブル構成例を示す図。
【図１０】図８に示すデータベースにおけるテーブル構成例を示す図。
【図１１】図８に示すデータベースにおけるテーブル構成例を示す図。
【図１２】動態調査方法の手順の一例を示すフローチャート。
【図１３】図１に示す調査端末の表示手段に表示された画面例を示す図。
【図１４】図１に示す調査端末の表示手段に表示された画面例を示す図。
【図１５】図１に示す調査端末の表示手段に表示された画面例を示す図。
【図１６】図１に示す調査端末の表示手段に表示された画面例を示す図。
【図１７】図１に示す調査端末の表示手段に表示された画面例を示す図。
【図１８】データ集計処理の手順の一例を示すフローチャート。
【図１９】各ボタンの機能割り当ての一例を示す図。
【図２０】データ閲覧処理の手順の一例を示すフローチャート。
【図２１】検索条件画面の一例を示す図。
【図２２】端末ＩＤの一覧を例示した図。
【図２３】測定位置の一覧を例示した図。
【図２４】検索結果画面の一例を示す図。
【符号の説明】
１・・・動態調査システム、５・・・動態調査サーバ、１１・・・監視端末（調査端末）、１１ｂ・・・記憶手段、２１，３１・・・閲覧端末、４１・・・送信部（発信手段）、４２・・・送信データ作成部（発信手段）、４３・・・動態情報取得部（発信手段）、４４・・・動態情報記憶テーブル（蓄積手段）、４５・・・キー押下検出部（入力手段）、４５ａ・・・時刻情報取得部（時刻情報取得手段）、４６・・・測位部（位置情報取得手段）、６１・・・データベース（蓄積手段）、６２・・・送受信部（受信手段）、６５・・・情報抽出部（解析手段）、６６・・・閲覧処理部（動態情報提供手段）、６７・・・閲覧結果データ作成部（動態情報提供手段）、６８・・・動態情報解析部（解析手段）、６９・・・集計処理部（集計手段）、７１・・・動態情報テーブル（蓄積手段）、７５，７６，８１〜９０・・・ボタン（入力手段）、９９・・・プログラム（動態調査サーバにおける動態調査機能を発揮させるプログラム）、９９ａ・・・プログラム（調査端末における動態調査機能を発揮させるプログラム）、１６１・・・ハードディスク（蓄積手段）
【図１】
2005049986.tif 000003
【図２】
2005049986.tif 000004
【図３】
2005049986.tif 000005
【図４】
2005049986.tif 000006
【図５】
2005049986.tif 000007
【図６】
2005049986.tif 000008
【図７】
2005049986.tif 000009
【図８】
2005049986.tif 000010
【図９】
2005049986.tif 000011
【図１０】
2005049986.tif 000012
【図１１】
2005049986.tif 000013
【図１２】
2005049986.tif 000014
【図１３】
2005049986.tif 000015
【図１４】
2005049986.tif 000016
【図１５】
2005049986.tif 000017
【図１６】
2005049986.tif 000018
【図１７】
2005049986.tif 000019
【図１８】
2005049986.tif 000020
【図１９】
2005049986.tif 000021
【図２０】
2005049986.tif 000022
【図２１】
2005049986.tif 000023
【図２２】
2005049986.tif 000024
【図２３】
2005049986.tif 000025
【図２４】
2005049986.tif 000026